(57)【特許請求の範囲】
【請求項１】
複数の緯糸と複数の経糸とが互いに直角に交錯するように織られ、緯糸が互いに隣接して又は一部重なりあって平行に並ぶように設けられ、経糸が緯糸間の間隔よりも広い間隔を隔てて平行に並ぶように設けられた法面保護用シートであって、
隣り合う経糸間の間隔が密に形成された間隔密部と、
隣り合う経糸間の間隔が間隔密部の間隔よりも粗く形成された間隔粗部と、
間隔密部の両側に形成された補強部とを備え、
前記補強部は、複数本の経糸が間隔密部の間隔より狭い間隔を隔てて並ぶように設けられた経糸の束により形成され、
前記間隔密部が緯糸の両端部に設けられ、当該間隔密部が固定手段により法面に固定されることを特徴とする法面保護用シート。
【請求項２】
緯糸がフラットヤーンにより形成されたことを特徴とする請求項１に記載の法面保護用シート。
【請求項３】
間隔密部が、緯糸の両端部間において緯糸に沿った方向に等間隔隔てて複数個設けられたことを特徴とする請求項１又は請求項２に記載の法面保護用シート。
【請求項４】
請求項１乃至請求項３のいずれか一項に記載の法面保護用シートの間隔密部が法面の傾斜に沿った方向に連続するように当該法面保護用シートが法面上に設置されて間隔密部の緯糸が固定手段により法面に固定されたことを特徴とする法面保護構造体。
【発明の詳細な説明】
【技術分野】
【０００１】
本発明は、法面に固定されて法面を保護するための法面保護用シート及び当該法面保護用シートを備えた法面保護構造体に関する。
【背景技術】
【０００２】
従来、三次元網状構造体内の隙間に種子を含有した植生基盤材が充填される植生基盤層と、該植生基盤層の上面を覆う上面被覆シートと、植生基盤層の下面を覆う下面被覆シートと、を積層して形成された法面保護用シートが知られている（特許文献１参照）。
【先行技術文献】
【特許文献】
【０００３】
【特許文献１】特開２００８−２０８６０４号公報
【発明の概要】
【発明が解決しようとする課題】
【０００４】
しかしながら、特許文献１の法面保護用シートは、三次元網状構造体が筒状空洞部の一側面にループ状のまま潰れた状態で堆積する被覆層により形成され、下面被覆シートが不織布により形成され、上面被覆シートが、藁、ジュート等により筵状に形成されたものであるので、固定用杭で地盤に固定された状態において、法面保護用シートに荷重が加わった場合に、法面保護用シートは荷重を固定用杭に伝達する力は小さく、また法面保護用シートはこの荷重を固定用杭を介して地盤に伝達する力が小さいという問題点があった。
本発明は、法面保護用シートに加わる荷重を法面の地盤に伝達する力を大きくできて、法面地盤の崩落防止効果の高い法面保護用シート及び法面保護構造体を提供する。
【課題を解決するための手段】
【０００５】
本発明に係る法面保護用シートは、複数の緯糸と複数の経糸とが互いに直角に交錯するように織られ、緯糸が互いに隣接して又は一部重なりあって平行に並ぶように設けられ、経糸が緯糸間の間隔よりも広い間隔を隔てて平行に並ぶように設けられた法面保護用シートであって、隣り合う経糸間の間隔が密に形成された間隔密部と、隣り合う経糸間の間隔が間隔密部の間隔よりも粗く形成された間隔粗部と、間隔密部の両側に形成された補強部とを備え、前記補強部は、複数本の経糸が間隔密部の間隔より狭い間隔を隔てて並ぶように設けられた経糸の束により形成され、前記間隔密部が緯糸の両端部に設けられ、当該間隔密部が固定手段により法面に固定される構成を備えたので、緯糸で法面を覆うことができるとともに、緯糸で降雨の打撃力を緩和できるため、地山が直接、降雨の打撃を受けないようになり、また、雨水が緯糸の表面を流下するので、法面保護効果が高くなり、また、固定手段を間隔密部を介して法面の地盤に固定するとともに固定手段で間隔密部の緯糸を法面に固定することにより、法面保護用シートに荷重が加わった場合に緯糸が伸び難くなって、荷重を伝達する力が大きくなり、法面地盤を安定的に保持でき、さらに、間隔密部の緯糸の両端が補強部で支持されることから、固定手段を支持する力がより大きくなり、固定手段に法面保護シートからの力が加わった場合に緯糸がより伸び難くなって、法面地盤が安定する法面保護用シートとなる。
また、緯糸がフラットヤーンにより形成されたことにより、フラットヤーンの面で法面を覆うことができることから、降雨の打撃力を緩和し、地山が直接、降雨の打撃を受けないようになり、また、雨水はフラットヤーンの表面を流下するので、法面保護効果の高い法面保護用シートを得ることができる。
また、間隔密部が、緯糸の両端部間において緯糸に沿った方向に等間隔隔てて複数個設けられたので、固定手段に加わる荷重を複数の間隔密部で均等に受けることができるので、法面保護用シートに加わる荷重を支持する支持力を高めることができ、法面地盤の崩落防止効果の高い法面保護用シートを提供できる。
本発明に係る法面保護構造体は、前記法面保護用シートの間隔密部が法面の傾斜に沿った方向に連続するように当該法面保護用シートが法面上に設置されて間隔密部の緯糸が固定手段により法面に固定されたので、法面地盤が崩落しにくい法面保護構造体となる。
【図面の簡単な説明】
【０００６】
【図１】法面保護用シートの正面図。
【図２】間隔密部の詳細を示す拡大図。
【図３】法面保護用シートの具体例を示す正面図。
【図４】法面に法面保護用シートを固定した法面保護体を示す斜視図。
【図５】法面に法面保護用シートを固定した法面保護体を示す断面図。
【発明を実施するための形態】
【０００７】
図１に示すように、法面保護用シート１は、複数の緯糸２と複数の経糸３とが互いに直角に交錯するようにシート状に織られた織物であり、緯糸２が互いに近接して平行に並ぶように設けられ、経糸３が間隔を隔てて平行に並ぶように設けられたことによって、例えば、横長２ｍ程度、縦長５０ｍ程度の帯状に形成される。
緯糸２が互いに近接して平行に並ぶように設けられるとは、緯糸２が互いに隣接して又は一部重なりあって又は所定の間隔（１ｍｍに満たない僅かな間隔）を隔てて平行に並ぶように設けられることをいう。そして、経糸が少なくとも前記所定の間隔よりも広い間隔を隔てて平行に並ぶように複数列設けられる。
【０００８】
緯糸２及び経糸３は例えばポリエチレン製の糸により形成される。
緯糸２は例えば幅２〜３ｍｍの薄いテープ状に形成されたフラットヤーンにより形成され、経糸３は例えばモノフィラメントにより形成される。
【０００９】
法面保護用シート１は、隣り合う経糸３と経糸３との間隔Ｈ１が密に形成されて後述するアンカー２１等の固定手段により法面２０に固定される間隔密部１０と、隣り合う経糸３と経糸３との間隔Ｈ２が間隔密部１０の間隔Ｈ１よりも粗く形成された間隔粗部１１とを備える。
【００１０】
間隔密部１０は、少なくとも緯糸２の両端部（複数の緯糸２；２…の両方の端部２ａ；２ａ）に設けられればよいが、緯糸２の両端部と緯糸２の両端部間とに設けられることが好ましく、この場合、緯糸２の両端部間に２つ以上の複数の間隔密部１０；１０…が等間隔てて設けられることが好ましい。尚、図では、各間隔密部１０の横幅（間隔Ｈ１）の中心位置に、固定手段の打ち込み箇所の補強を目的として経糸３を設けた例を示したが、当該経糸３は無くてもよい。
【００１１】
間隔粗部１１は、隣り合う間隔密部１０と間隔密部１０との間において緯糸に沿った方向である横方向に等間隔隔てて複数個設けられることが好ましい。
【００１２】
間隔密部１０を形成する互いに隣り合う経糸３；３の近傍には間隔密部１０の間隔Ｈ１より狭い間隔を隔てて経糸３が１本以上平行に並ぶように設けられたことによって、間隔密部１０を区画する両側の経糸３；３が経糸３の束による補強部１５に形成されている。
【００１３】
図２及び図３に基づいて具体的な法面保護用シート１の一例を説明する。
例えば、図３に示すように、間隔密部１０が、緯糸２の両端部に設けられるとともに緯糸２の両端部（端部２ａ；２ａ）間に横方向に等間隔隔てて４箇所に設けられることで合計６つ設けられ、間隔粗部１１が、隣り合う間隔密部１０の補強部１５と間隔密部１０の補強部１５との間において横方向に等間隔隔てて５箇所に設けられた構成であって、間隔密部１０を区画する隣り合う経糸３と経糸３との間隔Ｈ１が３．７ｃｍ、補強部１５を区画する両外側の経糸３と経糸３との間隔Ｈ３が０．９ｃｍ、間隔粗部１１を区画する隣り合う経糸３と経糸３との間隔Ｈ２が８．７ｃｍに形成され、緯糸２の両端部に位置する補強部１５より横方向に突出する余り代突出部の長さＨ４が２．０ｃｍに形成されたことによって、横方向全長が２５４．５ｃｍ、縦方向全長が５０００ｃｍに形成される（間隔Ｈ１〜Ｈ４は図２参照）。
即ち、横方向全長２５４．５＝（３．７（間隔Ｈ１）＋（０．９（間隔Ｈ３）×２））×６＋（８．７（間隔Ｈ２）×５）×５＋（２．０（余り代突出部の長さＨ４）×２）である。
また、補強部１５は４〜５本の経糸３の束により形成され、補強部１５を形成する互いに隣り合う経糸３と経糸３との間隔は２ｍｍ程度に形成される。
尚、法面保護用シート１の寸法、各部分の数、隣り合う間隔密部１０；１０間の間隔粗部１１の数等は任意に決めればよい。
【００１４】
次に法面保護用シート１を用いた法面保護構造体の構築方法について説明する。
帯状の法面保護用シート１をロール状に巻いて図３；４に示す法面２０の下端まで運搬し、法面保護用シート１をロールの一端から法面２０に沿って引き上げていって一端部１ａを法面２０の上端側に固定することにより、図４に示すように、法面保護用シート１の間隔密部１０が法面２０の傾斜に沿った方向に連続するように当該法面保護用シート１が法面２０上に設置される。そして、図４に示すように、間隔密部１０に対して法面２０の上下方向に所定間隔（例えば１ｍ間隔）を隔てた部分毎に固定手段としてのアンカー２１を打設する。アンカー２１は、例えば、一端に図外の係合部を備え他端に図外のねじ部を備えたアンカーロッド２２と、アンカーロッド２２の他端に装着される押え板２３と、アンカーロッド２２の他端のねじ部に締結されるナット２４とを備える（図５参照）。
例えば予め法面２０のアンカー設置位置の地盤３０を１ｍ〜数ｍの深さに削孔してアンカーロッド挿入孔２５を形成しておいて、アンカーロッド２２を一端側からアンカーロッド挿入孔２５に挿入してアンカーロッド挿入孔２５にセメントミルクやモルタルを注入してアンカーロッド２２を地盤３０に固定しておく。法面２０に法面保護用シート１を敷設して、アンカーロッド２２の他端のねじ部を間隔密部１０の緯糸２の間から間隔密部１０よりも上方に突出させておく。そして、間隔密部１０よりも上方に突出させたねじ部に押え板２３を挿入してねじ部にナット２４を締結することで押え板２３を間隔密部１０の緯糸２に押し付け、当該緯糸２を法面２０に押し付けることにより、法面保護用シート１が法面２０に固定された法面保護構造体３１が構築される。
【００１５】
尚、固定手段としては、法面２０に設置された法面保護用シート１の間隔密部１０の上から法面２０の地盤３０に打ち込まれて間隔密部１０の緯糸２を法面２０に押し付けて法面保護用シート１を法面２０に固定する杭状のものを用いてもよい。
【００１６】
実施形態の法面保護用シート１によれば、隣り合う経糸３と経糸３との間隔Ｈ１が密に形成された間隔密部１０を備えているので、間隔密部１０の隣り合う経糸３と経糸３との間隔Ｈ１を適切に調整することで、間隔粗部１１の緯糸２に加わる荷重をその緯糸２を介して間隔密部１０の緯糸２に伝達し、間隔密部１０に設置されたアンカー２１を介して法面２０に伝達するため、法面保護用シート１に加わる荷重の支持力を大きくすることができる。
言い換えれば、間隔密部１０の緯糸２を法面２０に固定するための固定手段に所定の力が加わっても緯糸２が伸びないように、間隔密部１０の隣り合う経糸３と経糸３との間隔Ｈ１を調整する。所定の力は、例えば１トン以下である。
【００１７】
法面保護用シート１によれば、間隔密部１０を形成する互いに隣り合う経糸３；３の近傍には間隔密部１０の間隔Ｈ１より狭い間隔を隔てて経糸３が１本以上平行に並ぶように設けられ、間隔密部１０を区画する両側の経糸３が経糸３の束による補強部１５に形成されているので、間隔密部１０の緯糸２の両端が補強部１５で支持されていることから、間隔密部１０の緯糸２を法面２０に固定するための固定手段を支持する力がより大きくなり、固定手段に法面２０の地盤の崩落力が加わった場合でも緯糸２がより伸び難くなって、法面２０の地盤が崩落しにくくなる法面地盤崩落防止効果の高い法面保護用シート１となる。
言い換えれば、間隔密部１０の緯糸２を法面２０に固定するために地盤に打ち込まれた固定手段に所定の崩落力が加わっても緯糸２が伸びないように、補強部１５の強度を調整する。所定の崩落力は、例えば、１トン以下である。
【００１８】
法面保護用シート１によれば、隣り合う経糸３と経糸３との間隔が密に形成された間隔密部１０を備え、かつ、間隔密部１０を区画する両側の経糸３；３が経糸３の束による補強部１５に形成されているので、間隔密部１０の緯糸２およびアンカー２１を介して間隔粗部１１に加わる荷重を法面２０に伝達できる力をより大きくでき、固定手段に力が加わった場合でも緯糸がより伸び難いように構成でき、法面地盤の崩落防止効果の高い法面保護用シートを提供できる。
【００１９】
また、間隔密部１０が、緯糸２の両端部間において緯糸２に沿った方向に等間隔隔てて複数個設けられた構成とすれば、地盤３０に打ち込まれた固定手段に加わる荷重を複数の間隔密部１０で均等に受けることができるので、法面保護用シート１に加わる荷重を支持する支持力を高めることができ、法面地盤の崩落防止効果の高い法面保護用シートを提供できる。
【００２０】
さらに、間隔粗部１１を備えるので、法面保護用シート１の上に植生基盤を形成した場合には、間隔粗部１１は、隣り合う経糸３と経糸３との間隔Ｈ２が間隔密部１０の間隔Ｈ１よりも粗いので、植生基盤より生育する植物の根が間隔粗部１１の緯糸２と緯糸２との間に入り込んで法面地盤に根付きやすくなる。
法面保護用シート１の下に植生基盤を形成した場合であっても、植生基盤より生育する植物の茎が間隔粗部１１の緯糸２と緯糸２との間を通り抜けて生育しやすくなる。
【００２１】
また、緯糸２としてフラットヤーンを用い、フラットヤーンが互いに隣接して又は一部重なりあって平行に並ぶように設けられた構成を備えたことにより、フラットヤーンの面で法面２０を覆うことができ、法面保護効果の高い法面保護用シート１を得ることができる。
また、緯糸２を幅のあるフラットヤーンとしたことで、降雨の打撃力を緩和し、地山が直接、降雨の打撃を受けないようになり、また、雨水は緯糸２の表面を流下するので、法面保護効果の高い法面保護用シート１を得ることができる。
【符号の説明】
【００２２】
１  法面保護用シート、２  緯糸、２ａ  緯糸の端部、３  経糸、１０  間隔密部、
１１  間隔粗部、２０  法面、２１  アンカー（固定手段）。
【図１】
0005945144.tif 000002
【図２】
0005945144.tif 000003
【図３】
0005945144.tif 000004
【図４】
0005945144.tif 000005
【図５】
0005945144.tif 000006